(57)【要約】流体貯蔵器（１）と、ディスペンサ出口（２２）と、ディスペンサ出口を通して流体を投与するためのディスペンサ手段（２）と、そして、ディスペンサ手段を駆動するための駆動ボタン（３）とを有する流体ディスペンサであって、特徴となるのは、貯蔵器が目に見え、そして、ディスペンサ出口（２２）と駆動ボタン（３）とが貯蔵器（１）の側面のそれぞれに位置し、貯蔵器がディスペンサ出口と駆動ボタンとの間を延びる様態となっている、という点であること、を特徴とする前記流体ディスペンサ。
2005507312.tif 000002
【特許請求の範囲】
【請求項１】
流体貯蔵器（１）と、
ディスペンサ出口（２２）と、
ディスペンサ出口を通して流体を投与するためのディスペンサ手段（２）と、そして、
ディスペンサ手段を駆動するための駆動ボタン（３）とを有する流体ディスペンサであって、
特徴となるのは、
貯蔵器が目に見え、そして、
ディスペンサ出口（２２）と駆動ボタン（３）とが貯蔵器（１）の側面のそれぞれに位置し、貯蔵器がディスペンサ出口と駆動ボタンとの間を延びる様態となっている、という点であること、
を特徴とする前記流体ディスペンサ。
【請求項２】
貯蔵器（１）の側面のそれぞれに延びる２つの側面ライザ（４４，４５）を有し、一方のライザ（４４）はディスペンサ出口（２２）を保持しており、もう一方のライザ（４５）は駆動ボタン（３）を保持していること、
を特徴とする請求項１に記載のディスペンサ。
【請求項３】
貯蔵器（１）は、透明または半透明の素材で作られていること、
を特徴とする請求項１又は２に記載のディスペンサ。
【請求項４】
ライザ（４４，４５）は、ベース（４６）の位置でつながれていること、
を特徴とする請求項２又は３に記載のディスペンサ。
【請求項５】
ライザとベースとは、本体（４）の形で作られていること、
を特徴とする請求項４に記載のディスペンサ。
【請求項６】
ライザは両者の間に深く長いノッチ（４７）を形成しており、当該ノッチは側面をライザ（４４、４５）によって、底面をベース（４６）によって規定されており、貯蔵器（１）は前記ノッチ（４７）に収容されていること、
を特徴とする請求項４又は５に記載のディスペンサ。
【請求項７】
ベース（４６）には座面（４１５）が形成されており、ディスペンサは当該面を下にすることにより、ライザ（４４，４５）が実質的に垂直の向きとなる形で、安定した状態で立つことができること、
を特徴とする請求項４乃至６のいずれかに記載のディスペンサ。
【請求項８】
ライザ（４４，４５）はそれぞれ、ベースに接続された一端および自由端部（４４１，４５１）を有すること、
を特徴とする請求項４乃至７のいずれかに記載のディスペンサ。
【請求項９】
貯蔵器（１）は、ベース（４６）内に配置された開口部（１２）と、実質的にライザの自由端部（４４１，４５１）に位置にある端壁（１０）とを有すること、
を特徴とする請求項８に記載のディスペンサ。
【請求項１０】
ディスペンサ出口（２２）はディスペンサ軸を規定し、駆動ボタン（３）はスラスト軸を規定し、ディスペンサ軸とスラスト軸とは平行であり、さらには、一致するのが効果的であること、
を特徴とする請求項１乃至９のいずれかに記載のディスペンサ。
【請求項１１】
ディスペンサ出口（２２）および駆動ボタン（３）は、ライザの自由端部（４４１，４５１）の近くに位置していること、
を特徴とする請求項８又は９に記載のディスペンサ。
【請求項１２】
ディスペンサ出口は、複数の出口穴（２２）を備える形に穴を開けられたバイブレータープレート（２１）を有すること、
を特徴とする請求項１乃至１１のいずれかに記載のディスペンサ。
【請求項１３】
ディスペンサ手段は、有孔プレート（２１）を振動させるためのドライブ手段（２４）を有すること、
を特徴とする請求項１２に記載のディスペンサ。
【請求項１４】
貯蔵器（１）から有孔プレート（２１）まで流体を運ぶために、流体供給用の毛管システム（６）を有すること、
を特徴とする請求項１２又は１３に記載のディスペンサ。
【請求項１５】
出口ディスペンサ（２２）を保持するライザ（４４）の内部には、貯蔵器（１）を有孔プレート（２１）に接続する毛管の芯（６）が収められていること、
を特徴とする請求項１４に記載のディスペンサ。
【請求項１６】
貯蔵器は取り外し可能であること、
を特徴とする請求項１乃至１５のいずれかに記載のディスペンサ。
【請求項１７】
貯蔵器は円形の断面を示すこと、
を特徴とする請求項１乃至１６のいずれかに記載のディスペンサ。
【発明の詳細な説明】
【技術分野】
【０００１】
本発明は流体ディスペンサに関し、当該ディスペンサは、流体貯蔵器と、ディスペンサ出口と、貯蔵器から引き出される流体をディスペンサ出口から投与するためのディスペンサ手段と、そして、ディスペンサ手段を動かすための駆動ボタンとを有するものである。この種のディスペンサは、全くの従来型の一般的な形状をしており、化粧品、香水さらには薬学の分野において使用される種類のものである。
【背景技術】
【０００２】
一般に、流体貯蔵器は底面側端部壁を有し、当該壁は座面として働き、ディスペンサを安定した様態で立たせることを可能にする。底面側端部壁から遠い方の端部では、貯蔵器にネックが形成されており、当該ネックは貯蔵器内に通じる開口部を形作っている。そして、ディスペンサ手段（例えば、ポンプまたは弁）が、このネックに設置されている。ディスペンサ手段を駆動する目的では、一般的にプッシャが設けられており、例えば指を用いて当該プッシャを押さえることで、ディスペンサ手段を駆動して貯蔵器に格納されている流体を引き出すことができる。こうして引き出された流体はディスペンサ出口を通って投与されるが、これについては、例えば、ノズルの形で提供することができる。従って、このような従来技術におけるディスペンサの一般的な構成は、比較的単純なものと言える。すなわち、ディスペンサの下側部分を構成している貯蔵器、貯蔵器上に設置されたディスペンサ手段、そして、ディスペンサ手段の頂上端部に位置づけられたプッシャ、という構成である。当然のことながら、ディスペンサの形状としては、それ以外のもの、すなわち、貯蔵器がディスペンサの頂上に位置し、ポンプが貯蔵器の下に位置する、というものもある。それは、例えば特許公報：ＵＳ−４ ８８２ ０９６号記載の発明の場合などである。いずれの場合も、駆動ボタンは、ディスペンサ手段およびディスペンサ出口の近傍に位置している。
【発明の開示】
【発明が解決しようとする課題】
【０００３】
本発明は流体ディスペンサに関して、今までとは別の形状または設計を規定することを目的とし、それは、駆動ボタンとディスペンサ出口とが完全に分離されており、駆動ボタンとディスペンサ出口との間の直接的な技術的関係がユーザに見えない、という形のものである。
【課題を解決するための手段】
【０００４】
この目的を達成するために本発明が提案するのは、貯蔵器が目に見え、そして、ディスペンサ出口と駆動ボタンとが貯蔵器の側面のそれぞれに位置し、貯蔵器がディスペンサ出口と駆動ボタンとの間を延びる様態となっている、という流体ディスペンサである。
【発明の効果】
【０００５】
こうした構成では、貯蔵器が駆動ボタンとディスペンサ出口の間に分離を形成することになるが、当該分離は明瞭であり、通り抜けができないように見えるものである。貯蔵器が比較的長くのびていて、駆動ボタンとディスペンサ出口との間に本物の細長い分離壁を形成するようになっている場合、これはいっそう印象が強くなる。
また、１つの実施の形態として、ディスペンサは、貯蔵器の側面のそれぞれに延びる２つの側面ライザを有し、一方のライザはディスペンサ出口を保持しており、もう一方のライザは駆動ボタンを保持している。また、貯蔵器は、透明または半透明の素材で作られていること、とするのが効果的である。この構成では、ユーザは文字通り貯蔵器を見透かすこととなり、駆動ボタンとディスペンサ出口とが接続されていないことを直ちに見て取れる。駆動ボタンがどのようにディスペンサ出口に作用するのか、ユーザは一目見ただけでは理解できないことにより、ディスペンサに対して、驚くべき、あるいは不思議とさえ見える効果がもたらされる。そして、それによって、ディスペンサには何かしら「魔法的」様相も与えられる。
【０００６】
また、１つの実施の形態として、ライザは、ベースの位置でつながれている。一例として、ライザは非常に長くのびており、ディスペンサの底面のごく一部を形成するベースに接続されている。また、ライザとベースとは、本体の形で作られていること、とするのが好ましい。また、ライザは両者の間に深く長いノッチを形成しており、当該ノッチは側面をライザによって、底面をベースによって規定されており、貯蔵器は前記ノッチに収容されている。ライザの高さがノッチの深さを決定し、ライザが長くなるほど、効果はいっそう顕著なものとなる。
【０００７】
また、効果的な構成として、ベースには座面が形成されており、ディスペンサは当該面を下にすることにより、ライザが実質的に垂直の向きとなる形で、安定した状態で立つことができること、とする。この構成では、ディスペンサは、断面が一定（必須ではない）の柱の形で提供することができる。言い換えれば、ライザはそれぞれ、ベースに接続された一端および自由端部を有する、と言うことができる。
【０００８】
また、本発明に関する別の特徴として、貯蔵器は、ベース内に配置された開口部と、実質的にライザの自由端部に位置にある端壁とを有する。ディスペンサがそのベースを下にして立っている場合、貯蔵器は上下逆さまで、その開口部が下側にくる状態で配置される。
また、本発明に関する別の特徴として、ディスペンサ出口はディスペンサ軸を規定し、駆動ボタンはスラスト軸を規定し、ディスペンサ軸とスラスト軸とは平行であり、さらには、一致するのが効果的である。また、ディスペンサ出口および駆動ボタンは、ライザの自由端部の近くに位置していること、とするのが好ましい。この場合、目を驚かす効果は最大となるが、それは、貯蔵器が２つのライザをそれらの自由端部の位置で隔てていることや、それらがつながる位置に達するためには、ベースに接続されたそれらの下側端部にまで進む必要があることによる。この構成では、ユーザは文字通り、ボタンを動かすことで流体が貯蔵器からディスペンサ出口まで直接供給される、という印象を持つ。当然のことながら、実際は、ベースを介して流れる形で貯蔵器を回っていく必要がある。さらには、軸の並びが、この目を驚かす効果に貢献するが、これは、ユーザの目に、軸が一列に並んでいることが、即座に見てとれることによる。
【０００９】
また、本発明に関する別の特徴として、ディスペンサ出口は、複数の出口穴を備える形に穴を開けられたバイブレータープレートを有する。また、ディスペンサ手段は、有孔プレートを振動させるためのドライブ手段を有する、とするのが効果的である。
また、本発明に関する別の特徴として、貯蔵器から有孔プレートまで流体を運ぶために、流体供給用の毛管システムを有する。また、出口ディスペンサを保持するライザの内部には、貯蔵器を有孔プレートに接続する毛管の芯が収められている、とするのが効果的である。毛管芯を有孔バイブレータープレートと組み合わせて使用するので、芯の細孔のサイズと有孔バイブレータープレートの出口孔の直径とを正確に選択することにより、貯蔵器から適切な量の流体の供給を得ることが可能になる。
【発明を実施するための最良の形態】
【００１０】
ここから、本発明に関し、本発明に関わる２つの実施の形態を非限定的な例として示す添付図面を参照しながら、更に詳しく説明する。
本発明の説明に用いる流体ディスペンサは、その外観において、安定した形でほぼ垂直に直立するように設計された柱状の形状を有する。柱の断面の形状については、図３に示すディスペンサのように均一（例えば、四角形）としてもよい。ただし、図２（ａ）および図２（ｂ）に示す実施の形態の場合のように、柱の断面を均一としないことも可能である。
【００１１】
ディスペンサは、外から見える２つの構成要素、すなわち、本体４および流体貯蔵器１を有する。本体４については、図２（ａ）および図２（ｂ）における場合のように単一の部分として一体的に作ることが可能であるが、図１および図３における場合のように複数の部分から成る形とすることもできる。ただし、図に示すいずれの場合においても、駆動ボタン３およびディスペンサ出口２は、本体４によって保持されている、あるいはこれに形成された形となる。駆動ボタン３は、ディスペンサ手段を作動させるための制御部材として働く。ディスペンサ手段は本体４内に収容されており、ディスペンサ出口２を通じて流体を投与する機能を有するものである。より簡潔に言えば、駆動ボタン３を押下することで、流体がディスペンサ出口２において投与される。
【００１２】
本発明において、流体貯蔵器１は、駆動ボタン３とディスペンサ出口２の間を延びている。これは、図１および図２（ｂ）を見れば明らかである。このように駆動ボタンとディスペンサ出口との間に貯蔵器を配置すると、駆動ボタンとディスペンサ出口とは貯蔵器１で明瞭に隔てられることになり、両者は互いから完全に分離されているように見える。これによって、ディスペンサには、目を驚かすような視覚的または外観上の効果がもたらされ、それによって、ディスペンサは「ミステリアス」あるいは「魔法的」に見えることになる。これは、ガラスやプラスチック素材などの透明または半透明の素材で流体貯蔵器が作られている場合に、いっそう見えやすくなる。ユーザには、駆動ボタンとディスペンサボタンとが流体によって隔てられていることが、貯蔵器の透明または半透明の壁を通して即座に見て取れる。
【００１３】
図３と図２（ａ）および図２（ｂ）とに示す実施の形態の両方に共通する特徴として、本体にはベース４６と２つの側面ライザ４４、４５とが形成されており、これらライザは、実質的に平行な状態で上方に延びる形でベース４６から延びている。ベース４６には、ディスペンサが安定した様態で直立できるように座面４１５を形成するのが効果的である。ディスペンサに対し、「垂直な柱」というおおよその形状を与えているのは、まさにこれである。２つのライザ４４、４５の各々は、下側端部によってベース４６につながっており、またそれぞれに、図２（ｂ）に見られるように、自由端である上側端部４４１、４５１を有する。ライザ４４、４５は、貯蔵器１の各側面にあって実質的に同じ方向に延びている。大部分の図に見られるように、貯蔵器１は概ね細長い形状を示し、端壁１０、側壁１１、そして、開口部が形作られたネック１２を供えている。効果的な構成として、貯蔵器は２つのライザ４４と４５の間に上下逆さまの状態で配置されている（すなわち、そのネック１２が下側に位置する状態で、ベース４６の内側に配置されている）。効果的な構成として、貯蔵器１の端壁１０はそこから、ライザ４４と４５の自由端部と実質的に一列に並んだ状態となることで、ほぼ平らな一種の頂上壁を形成している。効果的な構成として、駆動ボタン３およびディスペンサ出口２は、ライザ４４、４５の自由端部４４１、４５１の方に位置している。これはディスペンサが有する目を驚かす視覚効果をいっそう高める。貯蔵器１によって駆動ボタンがディスペンサ出口から明らかに隔てられているからである。ボタンおよび出口は、２つのライザ４４、４５の間の接続要素を形成するベース４６からも比較的遠く離れている。留意すべきは、ベース４６の高さを最小限とすることが効果的である、という点である。それは、こうすることで、２つのライザ４４、４５の間がほとんど完全に分離されているように見せる効果が更に高まるからである。同様の意味で、ベースの高さがディスペンサ全体の高さの半分を上回らないようにするのが好ましい。
【００１４】
本発明に関する別の効果的な特性として、駆動ボタンと出口開口部とは、ほぼ同じ高さに位置している。より厳密に言えば、駆動ボタンはスラスト軸を規定し、出口開口部はディスペンサ軸を規定しているため、２本の軸が一致していれば、その結果として（実際には全くありえないのだが）、駆動ボタン３からの力によって、貯蔵器１を直接通過する形で出口２における投与が行われる、という印象が与えられる、という効果がある。
【００１５】
言い換えると、本体４は、側面をライザ４４、４５によって、底面をベース４６によってそれぞれ規定される、深く細長いノッチの形をとる、と言うことができる。貯蔵器１は深いノッチの中に収容されていて、その開口部１２が隠れた状態になっている。従って、流体がどこで貯蔵器を離れるのかを知ることは不可能である。効果的なのは、貯蔵器が、ユーザの目からは、開口部を持たない透明または半透明の容器の形を取るように見える、という点である。これは、貯蔵器のそれぞれの側面にあるボタンおよび出口の位置決めと共に、目を驚かす視覚的効果をさらにいっそう高める。
【００１６】
当然のことながら、自由端部４４１、４５１の近傍にボタン３および出口２を配置することは、限定と考えてはならない。それどころか、ボタン３および出口２は、貯蔵器１によって隔てられたライザ４４、４５上のどの位置あるいはどの高さにでも配置することができる。ボタン３をベース４６の近傍に配置し、出口を端部４４１の近傍に配置することもできるし、あるいは、その逆も可能である。ボタン３と出口２とをベース４６の近傍に配置することもできる。
【００１７】
図２（ａ）、図２（ｂ）および図２（ｃ）に示す実施の形態では、貯蔵器１の断面が円形を示すことが見て取れるはずである。これは、特に図２（ｃ）において明らかである。ライザ４４、４５に関しては、それらの各々が内壁を作り、当該内壁は貯蔵器の壁の湾曲に合うように湾曲させられているため、貯蔵器はライザの間に完全にはまることになる。これは、貯蔵器がほぼＩ字形状の断面を示す図３の実施の形態にも当てはまる。
【００１８】
いずれの実施の形態でも、貯蔵器は、取り外しおよび交換が可能であるが、そのためには、ライザの間に形成されたノッチに貯蔵器をはめ込めるようにする必要がある。図２（ｃ）に示す実施の形態に関して効果的なのは、貯蔵器をベースにネジで留められる点である。図３に示す実施の形態では、貯蔵器は、並進ではめ込まれる形で固定しなければならない。加えて、円形の断面を有する貯蔵器は製造がより簡単である。
【００１９】
ここまでは、本発明の流体ディスペンサの内部構造に関する詳細な説明である。ここからは、図１および図４を参照しながら特定の実施の形態について説明するが、これは、本発明の流体ディスペンサの内部構造を示すものである。本実施の形態では、ライザ４４、４５およびベース４６はハウジングとして働き、当該ハウジングは、初期状態において、貯蔵器１に格納されている流体をディスペンサ出口２から投与するのを可能にするための各種構成要素を保持するように設計されている。これは一例であるが、本体４（すなわち、２つのライザ４４、４５およびベース４６）は、３つの部品により、２つの側壁４２、４３が中央部分４１の各側面に設置された形で作ることができる。３つの要素については、例えば、射出成形プラスチック素材で製造することが可能である。中央部分４１には深く細長いノッチが形作られており、ここに貯蔵器１が配置される。中央部分４１はライザ４４、４５の一部を形成している。側壁４２、４３は中央部分を完成する働きをし、それによって２つのライザ４４、４５およびベース４６を形成する。例として言えば、側壁４２、４３の中央部分への固定は、スナップ留めシステム、熱シール処理または接着剤などを用いて行うことができる。図１に示すディスペンサは、図３におけるディスペンサに対応している。従って、見て分かるように、側壁４２、４３を平らなプレートの形で製造し、その上で中央部分４１に装着することが可能である。側壁４２には開口部４２１が形作られており、その後ろにディスペンサ出口２が配置されている。ディスペンサ出口およびディスペンサ手段の詳細な構造については、図４を参照しながら以下に説明する。側壁４２からは、電子制御回路７を支持するように作られた底面壁４２２が延びている。側壁４３に関して言えば、これには穴４３１が形作られており、その中に駆動ボタン３がはめ込まれている。駆動ボタンの種類については、接触感知スイッチとすることができる。中央部分４１と共に、側壁４３は側面ライザ４５を形成する。側面ライザ４５は、駆動ボタンおよびそれに関連するメカニズムのための、そして、バッテリー５のためのハウジングとして働く。当然のことながら、１つのバッテリーまたは他の何らかの電力供給手段（例えば、太陽電池パネルにつながれた可充電電池、または、より簡単なものとして、電源への接続のためのパワーケーブル）も考えられる。中央部分４１に側壁４２を取り付けることで形成される側面ライザ４４では、中央部分４１に、その下側端部４１３および上側端部４１４で開いているダクト４１２が形成されている。ダクト４１２は、毛管の芯６を内部に有する形に設計されている。ダクト４１２は、その下側端部においてチャンバ４１１とつながっており、次いでチャンバは貯蔵器１の開口部１２につながっている。効果的な構成として、制御される閉鎖システムを、開口部１２の位置に（例えば、開口部１２にはめ込まれたスリーブ１６の内部に）配置することが可能である。従って、貯蔵器１に格納されている流体１５については、決められた時にだけ、重力によってチャンバ４１１に流れ込むようにすることができる。効果的な構成として、チャンバ４１１に泡を入れて、所定量の流体が含浸によって保持されることを可能にすることができる。従って、貯蔵器１からの流体がチャンバ４１３に達すると、流体は毛管の芯６にしみ込み、それによって、毛管の芯６内部をその上側端部４１４まで流体が上がっていくことになる。上でも述べたように、ダクト４１２は、ディスペンサ手段２に直接通じる形で、上側端部４１４の近傍において開いている。なお、ディスペンサ手段については、図４がより明らかに示す。
【００２０】
この特定の実施の形態においても、ディスペンサ手段については、特許公報：ＥＰ−０ ６１５ ４７０号に記載されたのと、類似または同一のものとすることができる。この場合、本発明のディスペンサにおいて使用されているディスペンサ手段は、複数のディスペンサ穴２２を備える形に穴を開けられたプレート又は膜２１を有し、これらの穴が一緒になってディスペンサ出口を構成する。膜２１はバイブレータ手段と関連付けられており、ここでのバイブレータ手段は、バイブレータ要素２５（例えば、圧電素子）が加えられた基板２３の形を取る。より厳密に言えば、基板２３は、中心に円形の開口部２３２が形作られたディスクまたはワッシャの形で設けられている。また、バイブレータ要素２４も、環状基板２３に取り付けられたワッシャの形で設けられている。穴のあいた膜２１は基板２３の中央開口部２３２を覆っている。バイブレータ要素２４に電圧が加えられることで膜２１は振動を開始し、それによって、そのすぐ後にある流体を細かい液滴の形で噴出することができる。こうした投与技術は、その全体が上記の先行技術文書においてはっきり規定されている。
【００２１】
本発明では、基板２３は支持要素２５に設置されており、当該支持要素の形状は環状であり、より一般的に言えば基板２３と同じ形状である。基板２３の形状については、正方形でもよいし矩形でもよい。支持要素２５は、液体の密閉とバイブレータ要素２４で発生する振動の減衰とを両方とも実現できる素材で作られる。ディスペンサ手段のこの特定の形状では、ディスペンサ出口は、ディスペンサ手段の一体化部品を形成する。基板を備えた支持要素２５と、そのバイブレータ要素と、そして、その有孔膜とが、ダクト４１２の上側開口部の位置でライザ４４内に配置されており、それによって、有孔膜２１のディスペンサ穴２２が、中央要素４１に取り付けられた側壁４２に形成された開口部４２１と対向する位置にくる。支持要素２５は、ダクト４１２の出口開口部４１４を密閉するが、それは、流体が毛管の芯６によってこの位置まで運ばれたことで、流体がここに存在し、基板２３および穴のあいた膜２１と接触している、という場合である。毛管の芯６は有孔膜２１から直接来る形とすることもできるが、変形例として、バイブレータ膜２１と毛管の芯６との間に泡を挟む形とすることもできる。支持要素２５は、ダクト４１２の開口部４１４と側壁４２の開口部４２１周辺の内表面との間に詰め込まれる形でライザ４４に設置される。これにより、要素２５はディスペンサ内にしっかり位置づけられ、バイブレータ要素２４で発生する振動がディスペンサ全体に伝播することを防止する。このようにすると、貯蔵器１に貯蔵されている流体をバイブレータ膜２１の内壁まで、チャンバ４１３および毛管の芯６を経由して、漏出の危険性なしに運ぶことができる。下流では、貯蔵器のネック１２にはめられたスリーブ１６がノッチの底面位置において、中央部分２１に密閉を実現し、上流では、支持要素２５が出口において密閉を実現する。
【００２２】
バイブレータ要素２４は電圧の供給を必要とし、この理由のために、電源装置ケーブル２７によって電気的に電子制御回路７に接続されている。これに対応する様態で、駆動ボタン３の接触メカニズムとバッテリー５とは、電源装置ケーブル４７、５７によって電子制御回路７に接続されている。
毛管の芯システム６によって、流体は有孔膜２１に供給され、当該膜は、電圧をバイブレータ要素２４に加えることによって振動させることができる。駆動ボタン３が押下されると電源電圧が供給され、それは電子制御システム７を通る回路を閉じさせる。従って、流体は、細かい液滴の形で途切れなく投与され、有孔バイブレータ膜２１に形成された穴の並び２２を通ってディスペンサ出口から噴霧される。ユーザは単に駆動ボタン３を押下しさえすれば、その結果として、流体の噴流が生成されて出口２から噴霧される。貯蔵器１（望ましくは透明のもの）を挿入することに関わる、目を驚かす効果については、ユーザは簡単かつ即座に見て取ることができる。
【図面の簡単な説明】
【００２３】
【図１】本発明の流体ディスペンサの縦断面図である。
【図２】（ａ）図１に示すディスペンサの変形となる実施の形態を示す側面図である。
（ｂ）図１に示すディスペンサの変形となる実施の形態を示す側面図である。
【００２４】
（ｃ）図２（ｂ）の断面線における断面図である。
【図３】図１に示すディスペンサの斜視図である。
【図４】図１に示すディスペンサが有するディスペンサ手段およびディスペンサ開口部を大きく拡大して示す図である。
【図１】
2005507312.tif 000003
【図２】
2005507312.tif 000004
【図３】
2005507312.tif 000005
【図４】
2005507312.tif 000006
【国際公開パンフレット】
2005507312.tif 000007
2005507312.tif 000008
2005507312.tif 000009
2005507312.tif 000010
2005507312.tif 000011
2005507312.tif 000012
2005507312.tif 000013
2005507312.tif 000014
2005507312.tif 000015
2005507312.tif 000016
2005507312.tif 000017
2005507312.tif 000018
2005507312.tif 000019
2005507312.tif 000020
2005507312.tif 000021
2005507312.tif 000022
2005507312.tif 000023
2005507312.tif 000024
【国際調査報告】
2005507312.tif 000025
2005507312.tif 000026
2005507312.tif 000027
2005507312.tif 000028